(57)【要約】【課題】ＩＤカードの再作成処理時において、画像品質の良いＩＤカードの作成を可能にする。【解決手段】顔画像を撮影しその顔画像データを出力する顔画像撮影手段、顔画像撮影手段からの顔画像データを記憶する第１記憶手段、この第１記憶手段に記憶された顔画像データを顔画像撮影手段から受信して記憶する第２記憶手段、及び、第２記憶手段に記憶された顔画像データを用いてＩＤカードを作成するカード作成手段が共通のデータ伝送路に接続されて成るカード作成システム１００において、カード作成手段は第１記憶手段に記憶された顔画像データを用いてＩＤカードを作成する。【選択図】図１
2006159567.tif 000002
【特許請求の範囲】
【請求項１】
顔画像を撮影しその顔画像データを出力する顔画像撮影手段、当該顔画像撮影手段からの顔画像データを記憶する第１記憶手段、この第１記憶手段に記憶された顔画像データを顔画像撮影手段から受信して記憶する第２記憶手段、及び、前記第２記憶手段に記憶された顔画像データを用いてＩＤカードを作成するカード作成手段が共通のデータ伝送路に接続されて成るカード作成システムにおいて、
前記カード作成手段は前記第１記憶手段に記憶された顔画像データを用いてＩＤカードを作成することを特徴とするカード作成システム。
【請求項２】
前記第２記憶手段における顔画像データの記憶期間は、前記第１記憶手段における顔画像データの記憶期間より長いことを特徴とする請求項１に記載のカード作成システム。
【請求項３】
前記第１記憶手段に記憶された顔画像データは非圧縮データであり、
前記第２記憶手段に記憶された顔画像データは圧縮データであることを特徴とする請求項１又は２に記載のカード作成システム。
【請求項４】
前記カード作成手段は、ＩＤカードの再作成処理時、前記第１記憶手段に顔画像データが存在しない場合、前記第２記憶手段に記憶された顔画像データを用いてＩＤカードを作成することを特徴とする請求項１から３の何れか一項に記載のカード作成システム。
【請求項５】
顔画像撮影手段により撮影された顔画像データを第１記憶手段に記憶させ、前記第１記憶手段に記憶された顔画像データを顔画像撮影手段から共通のデータ伝送路を介して第２記憶手段に送信して記憶させ、前記第２記憶手段に記憶された顔画像データを用いてカード作成手段によりＩＤカードを作成するカード作成方法において、
前記カード作成手段は前記第１記憶手段に記憶された顔画像データを用いてＩＤカードを作成することを特徴とするカード作成方法。
【請求項６】
前記第２記憶手段における顔画像データの記憶期間は、前記第１記憶手段における顔画像データの記憶期間より長いことを特徴とする請求項５に記載のカード作成方法。
【請求項７】
前記第１記憶手段に記憶された顔画像データは非圧縮データであり、
前記第２記憶手段に記憶された顔画像データは圧縮データであることを特徴とする請求項５又は６に記載のカード作成方法。
【請求項８】
前記カード作成手段は、ＩＤカードの再作成処理時、前記第１記憶手段に顔画像データが存在しない場合、前記第２記憶手段に記憶された顔画像データを用いてＩＤカードを作成することを特徴とする請求項５から７の何れか一項に記載のカード作成方法。
【発明の詳細な説明】
【技術分野】
【０００１】
本発明は、社員証や各種免許証等のＩＤカードを作成するＩＤカード作成システム及びＩＤカード作成方法に関する。
【背景技術】
【０００２】
近年、社員証、自動車免許証等の免許証類、身分証明書、パスポート、外国人登録証、図書館利用カード、キャッシュカード、クレジットカード、従業者証、会員証、医療カード及び学生証等のＩＤカードが普及している。これらのＩＤカードの表面には、ＩＤ番号（識別情報）、本人（申請人）の顔画像の他、氏名、住所等の個人情報が印字されるようになっている。このようなＩＤカードを作成するシステムとして、本人の顔画像を撮影装置で撮影することで得られた顔画像データと、ＩＤ番号及び個人情報とに基づいて、ＩＤカードを作成するシステムが知られている。
【０００３】
また、最近では、申請人の顔画像や個人情報のデータを、撮影装置やファイルサーバ等に記憶しておき、その記憶されたデータをＩＤカード作成装置（プリンタ）に送信することにより、ＩＤカードの再作成や更新等の手続きを行うＩＤカード作成システムが開発されている（例えば、特許文献１参照。）。    
【特許文献１】特開平７−８９２７２号公報
【発明の開示】
【発明が解決しようとする課題】
【０００４】
しかしながら、従来のＩＤカード作成システムでは、ＩＤカードの再作成処理時にファイルサーバに記憶された顔画像データを用いてＩＤカードを作成すると、良好なＩＤカードが作成されない場合があるという問題があった。これは、以下のような理由による。撮影装置からファイルサーバ及びＩＤカード作成装置へ至る共通の伝送経路に何らかのトラブルが発生した場合、撮影装置からファイルサーバへ顔画像データを送信する過程で顔画像データが劣化し、ファイルサーバに劣化された顔画像データが記憶されることになる。従って、ＩＤカードの再作成処理時に、ファイルサーバに記憶されている顔画像データを利用しようとしても、記憶されている顔画像データが不良であるために、良好な画像を得ることができないことによる。
【０００５】
本発明の課題は、ＩＤカードの再作成処理時に、画像品質の良いＩＤカードの作成を可能にすることである。
【課題を解決するための手段】
【０００６】
上記課題を解決するため、請求項１に記載の発明は、顔画像を撮影しその顔画像データを出力する顔画像撮影手段、当該顔画像撮影手段からの顔画像データを記憶する第１記憶手段、この第１記憶手段に記憶された顔画像データを顔画像撮影手段から受信して記憶する第２記憶手段、及び、前記第２記憶手段に記憶された顔画像データを用いてＩＤカードを作成するカード作成手段が共通のデータ伝送路に接続されて成るカード作成システムにおいて、前記カード作成手段は前記第１記憶手段に記憶された顔画像データを用いてＩＤカードを作成することを特徴としている。
【０００７】
請求項２に記載の発明は、請求項１に記載のカード作成システムにおいて、前記第２記憶手段における顔画像データの記憶期間は、前記第１記憶手段における顔画像データの記憶期間より長いことを特徴としている。
【０００８】
請求項３に記載の発明は、請求項１又は２に記載のカード作成システムにおいて、前記第１記憶手段に記憶された顔画像データは非圧縮データであり、前記第２記憶手段に記憶された顔画像データは圧縮データであることを特徴としている。
【０００９】
請求項４に記載の発明は、請求項１から３の何れか一項に記載のカード作成システムにおいて、前記カード作成手段は、ＩＤカードの再作成処理時、前記第１記憶手段に顔画像データが存在しない場合、前記第２記憶手段に記憶された顔画像データを用いてＩＤカードを作成することを特徴としている。
【００１０】
請求項５に記載の発明は、撮影手段により撮影された顔画像を第１記憶手段に記憶させ、前記第１記憶手段に記憶された顔画像データを顔画像撮影手段から共通のデータ伝送路を介して第２記憶手段に送信して記憶させ、前記第２記憶手段に記憶された顔画像データを用いてカード作成手段によりＩＤカードを作成するカード作成方法において、前記カード作成手段は前記第１記憶手段に記憶された顔画像データを用いてＩＤカードを作成することを特徴としている。
【００１１】
請求項６に記載の発明は、請求項５に記載のカード作成方法において、前記第２記憶手段における顔画像データの記憶期間は、前記第１記憶手段における顔画像データの記憶期間より長いことを特徴としている。
【００１２】
請求項７に記載の発明は、請求項５又は６に記載のカード作成方法において、前記第２記憶手段における顔画像データの記憶期間は、前記第１記憶手段における顔画像データの記憶期間より長いことを特徴としている。
【００１３】
請求項８に記載の発明は、請求項５から７の何れか一項に記載のカード作成方法において、前記カード作成手段は、ＩＤカードの再作成処理時、前記第１記憶手段に顔画像データが存在しない場合、前記第２記憶手段に記憶された顔画像データを用いてＩＤカードを作成することを特徴としている。
【発明の効果】
【００１４】
本発明によれば、ＩＤカードの再作成処理時に、ＩＤカードに使用するための顔画像を撮影する撮影装置に設けられた第１記憶手段に記憶された顔画像データを用いることにより、画像品質の良いＩＤカードを作成することが可能となる。
【発明を実施するための最良の形態】
【００１５】
以下、図面を参照して、本発明の実施形態について詳細に説明する。
【００１６】
以下の実施形態のＩＤカード作成システムにおいては、主に、会社等の団体に所属する社員のＩＤカード（在職（社員）証明カード等）を作成する場合を想定してＩＤカード作成システムを説明するが、それに限らず、所定資格を管理・統括する団体が有するものであってもよい。
【００１７】
まず、本発明の実施形態における構成について説明する。図１に、実施形態に係るＩＤカード作成システム１００の構成を示す。ＩＤカード作成システム１００は、図１に示すように、ホストコンピュータ１、撮影装置２、ＩＤカード作成装置３、ファイルサーバ４により構成され、ＩＤカード作成システム１００を構成する各装置は通信ネットワークＮにより接続される。通信ネットワークＮは、図１に示すように、撮影装置２からＩＤカード作成装置３及びファイルサーバ４へ至る共通の伝送経路Ｎ1を含む。なお、１台のホストコンピュータ１に通信ネットワークＮを介して接続される撮影装置２、ＩＤカード作成装置３、ファイルサーバ４の台数は特に限定されない。
【００１８】
ここで、通信ネットワークＮは、例えば、公衆回線、電話回線、ＩＳＤＮ回線、無線通信回線、専用線、ＣＡＴＶ回線等のネットワークである。この通信ネットワークＮは、任意な時に接続が可能であればよく、常時接続されている必要はない。また、通信ネットワークＮは、情報管理の信頼性の観点から、特定のユーザのみアクセス可能なセキュリティを確保していることが望ましい。或いは、ＩＤカード作成システム１００は、通過する情報を制限するファイアウォール機能を有するプロキシサーバ等を備える構成であってもよい。
【００１９】
ホストコンピュータ１は、例えば、ＰＣ（Personal Computer）等により構成され、ＨＤＤ（ハードディスク）等のＤＢ（データベース）格納手段１ａを備えている。ＤＢ格納手段１ａは、各社員のＩＤ番号（識別情報）、個人情報（氏名、住所、所属、生年月日等）のデータを対応付けて格納している。このＤＢ格納手段１ａには、常に最新の個人情報がＩＤ番号に対応付けて格納されている。ホストコンピュータ１は、ＤＢ格納手段１ａに格納される情報の更新や読み出しを制御する。
【００２０】
図２に、撮影装置２の主要部構成を示す。撮影装置２は、図２に示すように、ＣＰＵ（Central Processing Unit）２１、ＲＡＭ（Random Access Memory）２２、記憶部２３、通信部２５、入力部２６、表示部２７、カメラ２８、光源２９等により構成される。
【００２１】
ＣＰＵ２１は、記憶部２３に記憶された各種プログラムに従って、撮影装置２を構成する各部の動作を制御する。例えば、ＣＰＵ２１は、入力部２６から、ＩＤカードの再作成を申請する申請人のＩＤ番号が入力されると、当該ＩＤ番号に対応付けられた顔画像のデータが記憶部２３の第１記憶手段２４に記憶されているか否かを判定する。ＣＰＵ２１は、該当する顔画像データが第１記憶手段２４に記憶されていると判定した場合、当該顔画像データを用いたＩＤカードの作成を、ＩＤカード作成装置３に依頼するための制御を行う。一方、該当する顔画像データが記憶部２３の第１記憶手段２４に記憶されていないと判定した場合、該当する顔画像データがファイルサーバ４の第２記憶手段４２１（後述）に記憶されているか否かをファイルサーバ４へ問い合わせるための制御を行う（図４参照）。
【００２２】
ＲＡＭ２２は、ＣＰＵ２１によって実行される各種プログラムをプログラム格納エリアに展開する。また、ＲＡＭ２２は、各種プログラムの実行時に生じる処理結果等のデータをワークエリアに一時的に記憶する。例えば、ＲＡＭ２２は、カメラ２８により撮影され生成された顔画像データを一時的に記憶する。
【００２３】
記憶部２３は、プログラムやデータ等が予め記憶されている記録媒体（図示省略）を有しており、この記録媒体は、磁気的、光学的記録媒体若しくは半導体メモリで構成されている。この記録媒体は、記憶部２３に固定的に設けられるもの若しくは着脱自在に装着するものであり、システムプログラム、当該システムに対応する各種処理プログラム及び各種処理プログラムで処理されたデータを記憶する。これらのプログラムは、コンピュータが読取可能なプログラムコードの形態で格納され、当該プログラムコードに従った動作がＣＰＵ２１の制御下にて逐次実行される。なお、記憶部２３が記憶するプログラム又はデータは、その一部又は全部を他の機器から通信ネットワークＮを介して受信して記憶するような構成にしてもよい。
【００２４】
この記憶部２３は、ＩＤカードの作成に関するデータとして、ＩＤカードの作成を申請する各申請人のＩＤ番号と、顔画像、個人情報の各データを対応付けて記憶した第１記憶手段２４を設けている。この第１記憶手段２４には、ＩＤ番号毎に、顔画像及び個人情報のデータがＩＤ番号に対応付けてＩＤカード作成装置３に送信済みであるか否かを示す送信完了フラグ（ＯＮ：送信済み、ＯＦＦ：未送信）が設定されている。第１記憶手段２４に記憶されたデータは、記憶後、所定期間（例えば、１週間）記憶され、所定期間を過ぎたデータは自動的に消去される。また、第１記憶手段２４に格納されている顔画像データは、非圧縮画像データである。
【００２５】
通信部２５は、撮影装置２を通信ネットワークＮに接続するためのインターフェースであり、通信ネットワークＮを介して外部機器と通信を行うための制御を行う。
【００２６】
入力部２６は、撮影ボタン、承認ボタン、カーソルキー、数字入力キー及び各種機能キーを備え、ボタン又はキーの押下操作に対応する操作信号をＣＰＵ２１に出力する。
【００２７】
表示部２７は、ＬＣＤ（Liquid Crystal Display）等の表示画面を備え、ＣＰＵ２１から入力される表示制御信号に従って、顔画像等の各種データを表示する。
【００２８】
カメラ２８は、ガラス又はプラスチックからなる光学レンズ及びＣＣＤ（Charge Coupled Device）やＣＭＯＳ（Complementary Metal Oxide Semiconductor）等の光学センサからなり、光学レンズを介して入力される画像を光学センサで電気信号に変換して画像データを生成する。
【００２９】
光源２９は、蛍光灯、ハロゲンランプ、メタルハライドランプ等により構成され、撮影の際に、椅子に着座した被撮影者（申請人）に対して光を照射する。
【００３０】
図１において、ＩＤカード作成装置３は、撮影装置２又はファイルサーバ４から、ＩＤカードの作成に必要な印刷データ（ＩＤ番号、顔画像、個人情報のデータ）を受信して、ＩＤカードの表面に印刷データの印字を行ってＩＤカードを作成する。このＩＤカード作成装置３は、各種機能キーを有する入力部、操作パネル、記憶部（何れも図示略）等を備えている。
【００３１】
図３に、ファイルサーバ４の主要部構成を示す。ファイルサーバ４は、図３に示すように、ＣＰＵ４０、ＲＡＭ４１、記憶部４２、通信部４３等により構成される。
【００３２】
ＣＰＵ４０は、記憶部４２に記憶された各種プログラムに従って、ファイルサーバ４を構成する各部の動作を制御する。
【００３３】
ＲＡＭ４１は、ＣＰＵ４０によって実行される各種プログラムをプログラム格納エリアに展開する。また、ＲＡＭ４１は、各種プログラムの実行時に生じる処理結果等のデータをワークエリアに一時的に記憶する。
【００３４】
記憶部４２は、プログラムやデータ等が予め記憶されている記録媒体（図示省略）を有しており、この記録媒体は、磁気的、光学的記録媒体若しくは半導体メモリで構成されている。この記録媒体は、記憶部４２に固定的に設けられるもの若しくは着脱自在に装着するものであり、システムプログラム、当該システムに対応する各種処理プログラム及び各種処理プログラムで処理されたデータ等を記憶する。これらのプログラムは、コンピュータが読取可能なプログラムコードの形態で格納され、当該プログラムコードに従った動作がＣＰＵ４０の制御下にて逐次実行される。なお、記憶部４２が記憶するプログラム又はデータは、その一部又は全部を他の機器から通信ネットワークＮを介して受信して記憶するような構成にしてもよい。
【００３５】
このファイルサーバ４は、ＤＢ（データベース）格納手段４ａを備えている。このＤＢ格納手段４ａには、ＩＤカードの作成を申請する各申請人のＩＤ番号と、顔画像、個人情報のデータを対応付けて記憶した第２記憶手段４２１として機能する記憶領域が設けられている。以下、この領域を第２記憶手段４２１とする。この第２記憶手段４２１に格納されている顔画像データは、所定の圧縮方式で圧縮された画像データである。また、第２記憶手段４２１の顔画像データの記憶期間は、撮影装置２に設けられた第１記憶手段２４の記憶期間よりも長い。従って、ＩＤカードの再作成処理時において第１記憶手段２４に該当する顔画像データが存在しない場合、第２記憶手段４２１に記憶された顔画像データに基づいてＩＤカードが作成される。また、ファイルサーバ４に格納された第２記憶手段４２１には、ＩＤ番号毎に、顔画像及び個人情報のデータがＩＤ番号に対応付けてＩＤカード作成装置３に送信済みであるか否かを示す送信完了フラグ（ＯＮ：送信済み、ＯＦＦ：未送信）が設定されている。さらに、ファイルサーバ４は、ホストコンピュータ１のＤＢ格納手段１ａがダウンした場合の予備のデータベースとしての機能を有している。
【００３６】
なお、第１記憶手段２４に記憶された顔画像データは、記憶期間終了前に第２記憶手段４２１に転送され格納される。これにより、第２記憶手段４２１に記憶される顔画像データの品質を高品質に維持することができるので、第１記憶手段２４の記憶期間終了後、顔画像データが消去された後においても、画像品質の良いＩＤカードを作成することが可能である。
【００３７】
次に、本発明の実施形態における動作について説明する。
【００３８】
まず、図４（ａ）のフローチャートを参照して、撮影装置２において実行される処理について説明する。
【００３９】
まず、入力部２６の操作により、ＩＤカードの申請人のＩＤ番号が入力されると（ステップＳ１）、その入力されたＩＤ番号に対応する顔画像データが第１記憶手段２４に記憶されているか否かが判定される（ステップＳ２）。
【００４０】
ステップＳ２において、ステップＳ１で入力されたＩＤ番号に対応する顔画像データが第１記憶手段２４に記憶されていると判定された場合（ステップＳ２；ＹＥＳ）、表示部２７にＩＤ番号と、当該ＩＤ番号に対応する顔画像が表示される（ステップＳ５）。
【００４１】
ステップＳ２において、ステップＳ１で入力されたＩＤ番号に対応する顔画像データが第１記憶手段２４に記憶されていないと判定された場合（ステップＳ２；ＮＯ）、即ち、該当する顔画像データが、当該顔画像データの記憶期間が過ぎて消去された場合、入力されたＩＤ番号のデータをファイルサーバ４に送信することにより、該当する顔画像データがファイルサーバ４の第２記憶手段４２１に記憶されているか否かの問い合わせが行われる（ステップＳ３）。
【００４２】
ステップＳ３において、送信されたＩＤ番号に対応する顔画像データが第２記憶手段４２１に記憶されているか否かが判定された結果がファイルサーバ４より送信されると、表示部２７に判定結果としての顔画像データの有無情報が表示される（ステップＳ４）。
【００４３】
ステップＳ５において、表示部２７にステップＳ１で入力されたＩＤ番号に対応する顔画像が表示されると、該当する顔画像に対応するＩＤ番号のデータがホストコンピュータ１に送信され、当該ＩＤ番号に対応する最新の個人情報がホストコンピュータ１から取得される（ステップＳ６）。
【００４４】
ホストコンピュータ１から個人情報が取得されると、当該個人情報がＩＤ番号対応付けられて第１記憶手段２４に記憶される（ステップＳ７）。なお、ステップＳ５において、表示部２７に顔画像が表示された後、ステップＳ６及びＳ７の処理に移行するとともに、ステップＳ１に戻り、次のＩＤ番号の入力待ち状態となる。
【００４５】
次に、図４（ｂ）のフローチャートを参照して、図４（ａ）のフローチャートに示した処理と並行して撮影装置２において行われる処理について説明する。
【００４６】
撮影装置２では、常時、送信完了フラグがＯＦＦのＩＤ番号に対応付けられた顔画像及び個人情報のデータが第１記憶手段２４に記憶されているかが判定されている（ステップＳ８）。ステップＳ８において、第１記憶手段２４に、該当するＩＤ番号に対応付けられた顔画像及び個人情報のデータが記憶されていると判定された場合（ステップＳ８；ＹＥＳ）、当該個人情報及び顔画像のデータがＩＤ番号のデータに対応付けられてＩＤカード作成装置３及びファイルサーバ４に送信される（ステップＳ９）。ステップＳ９での送信処理後、第１記憶手段２４において、当該送信されたデータに対応する送信完了フラグがＯＮに設定され（ステップＳ１０）、再度、ステップＳ８〜Ｓ１０の処理が繰り返される。
【００４７】
次に、図５のフローチャートを参照して、撮影装置２からＩＤカードの作成指示を受け付けるときにＩＤカード作成装置３において実行される処理について説明する。
【００４８】
撮影装置２から、ＩＤ番号と、それに対応付けられた顔画像及び個人情報のデータが受信され、ＩＤカード作成指示が受け付けられると（ステップＰ１）、その作成指示で指示されたＩＤ番号に対応付けられた顔画像及び個人情報のデータを用いてＩＤカードが作成される（ステップＰ２）。ＩＤカードが作成されると、ＩＤカードの作成が完了したことを示すＩＤカード作成完了情報がＩＤ番号に対応付けられて撮影装置２に送信される（ステップＰ３）。
【００４９】
次に、図６（ａ）のフローチャートを参照して、撮影装置２よりＩＤ番号が送信されたときにファイルサーバ４において実行される処理について説明する。
【００５０】
まず、撮影装置２からＩＤ番号が受信されると（ステップＦ１）、当該ＩＤ番号に対応付けられた顔画像データが、第２記憶手段４２１に記憶されているか否かが判定される（ステップＦ２）。
【００５１】
ステップＦ２において、第２記憶手段４２１に、撮影装置２から送信されたＩＤ番号に対応する顔画像データが記憶されていないと判定された場合（ステップＦ２；ＮＯ）、第２記憶手段４２１に該当する顔画像データが存在しないことを通知するデータが撮影装置２に送信される（ステップＦ３）。
【００５２】
ステップＦ２において、第２記憶手段４２１に、撮影装置２から送信されたＩＤ番号に対応する顔画像データが記憶されていると判定された場合（ステップＦ２；ＹＥＳ）、第２記憶手段４２１に該当する顔画像データが存在する旨を通知するデータが撮影装置２に送信されるとともに（ステップＦ４）、該当する顔画像に対応するＩＤ番号のデータがホストコンピュータ１に送信され、当該ＩＤ番号に対応する最新の個人情報がホストコンピュータ１から取得される（ステップＦ５）。ホストコンピュータ１から個人情報が取得されると、当該個人情報がＩＤ番号に対応付けられてＤＢ格納手段４ａに格納された第２記憶手段４２１に記憶される（ステップＦ６）。
【００５３】
次に、図６（ｂ）のフローチャートを参照して、図６（ａ）のフローチャートに示した処理と並行してファイルサーバ４において行われる処理について説明する。
【００５４】
ファイルサーバ４では、ステップＦ１において撮影装置２からＩＤ番号が送信され、送信完了フラグがＯＦＦのＩＤ番号に対応付けられた顔画像及び個人情報のデータが第２記憶手段４２１に記憶されているかが判定されている（ステップＦ７）。ステップＦ７において、第２記憶手段４２１に該当するＩＤ番号に対応付けられた顔画像及び個人情報のデータが記憶されていると判定された場合（ステップＦ７；ＹＥＳ）、当該個人情報及び顔画像のデータがＩＤ番号のデータに対応付けられてＩＤカード作成装置３に送信される（ステップＦ８）。ステップＦ８での送信処理後、第２記憶手段４２１において、当該送信されたデータに対応する送信完了フラグがＯＮに設定され（ステップＦ９）、再度、ステップＦ７〜Ｆ９の処理が繰り返される。
【００５５】
次に、図７のフローチャートを参照して、ファイルサーバ４からＩＤカード作成指示を受け付けるときにＩＤカード作成装置３において実行される処理について説明する。
【００５６】
ファイルサーバ４から、ＩＤ番号と、それに対応付けられた顔画像及び個人情報のデータが受信され、ＩＤカードの作成指示が受け付けられると（ステップＰ２０）、その作成指示で指定されたＩＤ番号に対応付けられた顔画像及び個人情報のデータを用いてＩＤカードが作成される（ステップＰ２１）。ＩＤカードが作成されると、ＩＤカードの作成が完了したことを示すＩＤカード作成完了情報がＩＤ番号に対応付けられてファイルサーバ４に送信される（ステップＰ２２）。
【００５７】
以上のように、本実施形態のＩＤカード作成システム１００によれば、ＩＤカードの再作成処理時において、撮影装置２に設けられた第１記憶手段２４に申請人のＩＤ番号に対応付けられた顔画像データが記憶されている場合は、第１記憶手段２４に記憶された顔画像データを用いてＩＤカードが作成される。撮影装置２に設けられた第１記憶手段２４に記憶された顔画像データは、非圧縮データであるため、画像品質の良いＩＤカードを作成することが可能である。
【００５８】
一方、ＩＤカードの再作成処理時において、撮影装置２に設けられた第１記憶手段２４に申請人のＩＤ番号に対応付けられた顔画像データが記憶されていない場合、即ち、該当する顔画像データが、当該顔画像データの記憶期間が過ぎて消去された場合、ファイルサーバ４のＤＢ格納手段４ａに格納された第２記憶手段４２１に記憶された顔画像データを用いてＩＤカードが作成される。第２記憶手段４２１に記憶された顔画像データは、所定の圧縮方式により圧縮された画像データである。そのため、第２記憶手段４２１は非圧縮データを記憶する第１記憶手段２４よりも長い期間、顔画像データを記憶しておくことが可能である。従って、再作成処理時において顔画像の取り直しを減らすことができ、効率よく再作成処理を行うことが可能である。
【００５９】
なお、上述の実施形態では、第１記憶手段２４を撮影装置２の内部に設ける構成としたが、撮影装置２の外部に別体として設ける構成としても同様の効果を得ることが可能である。
【図面の簡単な説明】
【００６０】
【図１】本実施形態に係るＩＤカード作成システムの構成を示す図である。
【図２】図１のＩＤカード作成システムを構成する撮影装置の主要部構成を示すブロック図である。
【図３】図１のＩＤカード作成システムを構成するファイルサーバの主要部構成を示すブロック図である。
【図４】本実施形態の撮影装置において実行される処理を示すフローチャートである。
【図５】本実施形態において、撮影装置からＩＤカード作成指示を受け付けるときにカード作成装置において実行される処理を示すフローチャートである。
【図６】本実施形態のファイルサーバにおいて実行される処理を示すフローチャートである。
【図７】本実施形態において、ファイルサーバからＩＤカード作成指示を受け付けるときにＩＤカード作成装置において実行される処理を示すフローチャートである。
【符号の説明】
【００６１】
１  ホストコンピュータ
１ａ  ＤＢ（データベース）格納手段
２  撮影装置
２１  ＣＰＵ
２２  ＲＡＭ
２３  記憶部
２４  第１記憶手段
２５  通信部
２６  入力部
２７  表示部
２８  カメラ
３  ＩＤカード作成装置
４  ファイルサーバ
４ａ  ＤＢ（データベース）格納手段
４１  ＣＰＵ
４２  記憶部
４３  通信部
４２１  第２記憶手段
１００  ＩＤカード作成システム
【図１】
2006159567.tif 000003
【図２】
2006159567.tif 000004
【図３】
2006159567.tif 000005
【図４】
2006159567.tif 000006
【図５】
2006159567.tif 000007
【図６】
2006159567.tif 000008
【図７】
2006159567.tif 000009